(57)【特許請求の範囲】
【請求項１】
前後方向に長尺な直方体状のおり本体の開口部で、内部に収めた誘導餌台と連動して閉塞される開閉戸を設けた動物の捕獲用おりの開閉戸構造において、
開閉戸が前記開口部の上部で揺動自在に軸支垂下され、該開口部の両側には前方へコ字状に突出する案内レールを配設し、両案内レールには棒体の両端に接合したリング部を介してストッパーを案内し、前記開閉戸の前面にはその下方左右に下り勾配の案内板を突設するとともに、中央部には下端の二股部で前記ストッパーの下降端での棒体を係止するロック金具を幅方向に平行な水平軸で垂下反転自在に軸支し、該ロック金具を固定する固定手段を開閉戸に設けて成る動物の捕獲用おりの開閉戸構造。
【発明の詳細な説明】
【０００１】
【発明の属する技術分野】
本発明は、動物捕獲の分野に属し、主として熊を捕獲するためのおりの開閉戸構造に関する。
【０００２】
【従来の技術】
本願出願人は、特願２００２−０３８６９８で熊を主とした動物の捕獲用おりを提案したが、捕獲された熊がおり内で強烈に暴れ回るためおりが横転して開閉戸の開放防止装置が外れる場合が往々あり、また、樹木の枝が接していて開放防止が不完全になることがあった。
【０００３】
【発明が解決しようとする課題】
本発明は上記に鑑みて、おりの開口部を開閉する開閉戸が動物捕獲後におり本体が横転しても開放が防止されるようにしようとする。
【０００４】
【課題を解決するための手段】
本発明の動物の捕獲用おりの開閉戸構造は、前後方向に長尺な直方体状のおり本体の前部に設けた開口部で、内部に収めた誘導餌台と連動して閉塞される開閉戸を設けた開閉戸構造において、
開閉戸が前記開口部の上部で揺動自在に軸支垂下され、該開口部の両側には前方へコ字状に突出する案内レールを配設し、両案内レールには棒体の両端に接合したリング部を介してストッパーを案内し、前記開閉戸の前面にはその下方左右に下り勾配の案内板を突設するとともに、中央部には下端の二股部で前記ストッパーの下降端での棒体を係止するロック金具を幅方向に平行な水平軸で垂下反転自在に軸支し、該ロック金具を固定する固定手段を開閉戸に設けて成る。
【０００５】
【発明の実施の形態】
シーソー状に開閉する開閉戸の前面で、その下方左右に突設される案内板の下り勾配は、コ字状の案内レールに案内されて降下するストッパーの棒体に干渉して開閉戸の開放防止が図られる勾配が選択される。
【０００６】
【実施例】
本発明の動物の捕獲用おりの開閉戸構造ａ（以下、単に開閉戸構造ａとする。）を実施例により説明すると、図１に示すように、前後方向に長尺な直方体状のおり本体１の前部に設けられた開口部２には、おり本体１の背丈より僅かに高い矩形枠３が接合され、矩形枠３の両側にはほぼ全高に渡って前方へコ字状に突出する案内レール４を設け、内部には開口部２を閉塞する開閉戸５がその上部で両側に渡って軸架された支軸６に揺動自在に軸支垂下され、両案内にレール４には横方向の棒体７とその両端のリング部８とからなるストッパー９をリング部８で案内し、開閉戸５の前面には下方左右に下り勾配の傾斜面１０を有する案内板１１を突設するとともに、中央部には両案内板１１の間に収まる幅の枠体１２で、図１（ｂ）に示すように、その両側下端の二股部１３にストッパー９の下降端（前記案内板１１の傾斜面１０に棒体７が係止される位置）での棒体７を収め、ストッパー９のはね上がりを防止するロック金具１４を開閉戸５の幅方向に平行な水平軸で垂下反転自在に軸支し、中央の鉄棒１５の下端部にはワイヤー掛け金１６を接合し、その上方にはロック金具１４のバタツキを防止する固定手段としてロック金具１４の両側に渡って横設した横部材１７を上下に跨ぐように突設した上金具１８と下金具１９及び横部材１７の前方で両金具１８、１９に挿し渡されるＴ字状の掛け金２０が設けられる。
すなわち、上金具１８は幅広の座面に横部材１７の前方で左右２個の挿通孔が貫設され、下金具１９は幅の狭い座面に前記左側の挿通孔と同位相の挿通孔を貫設して成る。図４に示すように、両挿通孔に挿し渡される軸２１と軸２１の上端に横設される座板２２とから成るＴ字状の掛け金２０には、座板２２に上金具１８の右側の挿通孔と同位相の挿通孔２３が貫設され、動物捕獲後は両挿通孔２３に錠（図外）が掛けられ、開閉戸５の開放防止が二重三重に図られる。
ロック金具１４を図３に示す反転状態の姿勢で説明すると、所要間隔に配設された左右の側部材２４はその上端で上部材２５が接合され、中間部では上下２本の横部材１７が接合され、下端部には短尺側部材２６を接合するとともに両者間を接合材２７で接合し、下端に二股部１３を配設して枠体１２が形成され、上部材２５には開閉戸５に縦設される鉄棒１５の心間に位相を合致させて一対のＵ字状の受け金２８を接合し、両受け金２８には開閉戸５の鉄棒１５に突設する支持金２９に軸支されるボルトの挿通孔３０を貫設するとともに、左方の受け金２８の内方側突端には挿通孔３０より上側で内方に向けて係止ピン３１を横設し、係止ピン３１に下面を係止する作動棒３２と作動棒３２の下端に接合するリング体３３とからなる作動子３４が、受け金２８と支持金２９に挿通されるボルト３５に遊嵌され、各受け金２８はボルト３５に螺合するナットで各支持金２９に垂下反転自在に軸支される。
【０００７】
このようにして成る開閉戸構造ａでは、図２に示すように、開閉戸５が矩形枠３上部の支軸６に軸支されて持ち上げられ、おり本体１の上面に矩形枠３と協働して接合される支柱３６を介してチェーン３７により開口部２の開口状態が保持され、開閉戸５の下端に設けたワイヤー掛け金１６に係着されたワイヤー３８は、支柱３６に軸支されたローラー３９に案内され、おり本体１の内部に設置した誘導餌台（図外）のワイヤー掛け金（図外）に連係される。ワイヤー３８のセットが完了すれば開閉戸５からチェーン３７が外されて捕獲準備完了となる。このとき、ロック金具１４は開閉戸５の上面で反転状態で待機するが、熊などの動物が入って誘導餌台を作動させると、前記ワイヤー掛け部からワイヤー３８が外れ、開閉戸５はその自重で支軸６を中心に回動落下する。すると、案内レール４の上部で待機していたストッパー９も案内レール４に案内されて落下する。その途中でロック金具１４の作動棒３２が棒体７によって押圧され、作動棒３２が係止ピン３１を押圧し、枠体１２は開閉戸５の支持金２９に軸支されたボルト３５を中心にストッパー９の落下に遅れて回転し、ストッパー９の棒体７が案内板１１の傾斜面１０に係止された状態でロック金具１４が垂下状態となり、その二股部１３が棒体７に被さる姿勢となる。
したがって、捕獲された熊が暴れて開閉戸５を押し除けようとしても、ストッパー９の棒体７がロック金具１４の二股部１３に拘束されて厳重に開放防止が図られる。さらに、捕獲処理などで熊にさらなる刺激がかかるときは、固定手段の掛け金２０を上金具１８と下金具１９間に横部材１７を跨いで掛け、さらには、掛け金２０と上金具１８に施錠してロック金具１４のはね上がりを防止し、一層の安全性が確保される。
【０００８】
【発明の効果】
本発明シーソー状に開閉する開閉戸を有する開閉戸構造では、動物捕獲後の開閉戸がロック金具の二股部でストッパーの棒体を拘束するから開閉戸の開放が防止され、横転してもロック金具がストッパーの棒体に干渉するため同様に開放が防止される。
【図面の簡単な説明】
【図１】  本発明の動物の捕獲用おりの開閉戸構造ａの説明図で、（ａ）は正面図、（ｂ）は左側面図。
【図２】  図１の開閉戸５を上げた状態の説明図。
【図３】  図１のロック金具１４の斜視図。
【図４】  図１の掛け金２０の斜視図。
【符号の説明】
１  おり本体
２  開口部
３  矩形枠
４  案内レール
５  開閉戸
６  支軸
７  棒体
８  リング部
９  ストッパー
１０  傾斜面
１１  案内板
１２  枠体
１３  二股部
１４  ロック金具
１５  鉄棒
１６  ワイヤー掛け金
１７  横部材
１８  上金具
１９  下金具
２０  掛け金
２１  軸
２２  座板
２３  挿通孔
２４  側部材
２５  上部材
２６  短尺側部材
２７  接合材
２８  受け金
２９  支持金
３０  挿通孔
３１  係止ピン
３２  作動棒
３３  リング体
３４  作動子
３５  ボルト
３６  支柱
３７  チェーン
３８  ワイヤー
３９  ローラー
ａ  動物の捕獲用おりの開閉戸構造
【図１】
0003689686.tif 000002
【図２】
0003689686.tif 000003
【図３】
0003689686.tif 000004
【図４】
0003689686.tif 000005